(57)【要約】【課題】導電部が一対の接点の双方と確実に接触でき、該導体部が一対の接点同士を確実に電気的に接続できる接点構造及び該接点構造を備えた電子機器を提供する。【解決手段】ＡＶ機器１は操作部を備えている。操作部は機器本体の前面に設けられた操作部用孔に収容された押しボタンと接点構造１４を備えている。接点構造１４は印刷配線板１９と一対の接点２０ａ，２０ｂとゴム板２１と導電板２３を備えている。接点２０ａ，２０ｂは印刷配線板１９に設けられている。ゴム板２１は平板部２５とボス部２６を備えている。ボス部２６は接点２０ａ，２０ｂと相対する接離部２９を備えている。導電板２３は平板部２５に貼り付けられて一方の接点２０ａと常に接触する接触部４０と接離部２９に貼り付けられてゴム板２１の中立状態で他方の接点２０ｂと間隔をあける離間部４１を備えている。【選択図】図３
2006286292.tif 000002
【特許請求の範囲】
【請求項１】
基板上に形成されかつ互いに間隔をあけて配された一対の接点と、
弾性体の弾性復元力に抗して前記一対の接点に近づけられると、一対の接点の双方に接触して、該一対の接点同士を電気的に接続する導電部と、を備えた接点構造において、
前記導電部が、
前記一対の接点のうち一方の接点に常に接触する接触部と、
前記弾性体の中立状態で前記一対の接点のうち他方の接点と間隔をあける離間部と、を備えたことを特徴とする接点構造。
【請求項２】
前記弾性体が、前記基板に重ねられる平板部と、中立状態で前記基板と間隔をあけるとともに前記基板に接離可能な接離部と、を備え、
前記接触部が、前記平板部に取り付けられ、
前記離間部が、前記接離部に取り付けられていることを特徴とする請求項１記載の接点構造。
【請求項３】
請求項１または請求項２に記載の接点構造を備えたことを特徴とする電子機器。
【発明の詳細な説明】
【技術分野】
【０００１】
本発明は、例えば、ＡＶ機器などの各種の電子機器の操作スイッチが押圧されたか否かを検出するための接点構造及び該接点構造を備えた電子機器に関する。
【背景技術】
【０００２】
例えば、ＣＤ（Compact Disk）などの光ディスクに記録された情報を読み出して、再生するＡＶ機器などの電子機器は、機器本体と、該機器本体内に収容されかつ前記ＣＤなどの光ディスクをクランプして該光ディスクから情報を読み出す再生部と、前記機器本体の表面に設けられかつ各種の操作を行う際に用いられる操作部とを備えている。
【０００３】
前述した操作部は、前記機器本体の外側に露出するとともに前記機器本体の外表面から突没自在に設けられて使用者などに押圧される押圧部と、該押圧部が押圧されたか否かを検出する接点構造と、を備えている。
【０００４】
接点構造は、前述した機器本体内に収容された印刷配線板上に形成されかつ互いに間隔をあけて配された一対の接点と、弾性体により前記接点に接離自在に設けられた導電部とを備えている。導電部の平面形状は、円形等である。導電部は、ゴムなどの弾性変形自在な合成樹脂に導体で構成される粉などが混入されて得られる。即ち、導電部は、導電性のゴムとなっている。
【０００５】
前述した接点構造は、押圧部が押圧されると、該押圧部により導電部が弾性体の弾性復元力に抗して前記一対の接点に向かって押圧される。すると、接点構造は、導電部が一対の接点の双方に接触して、該一対の接点が互いに電気的に接続する。このように、接点構造は、導電部が一対の接点同士を電気的に接続するか否かで、前述した押圧部が押圧されたか否かを検出できるようにしている。
【発明の開示】
【発明が解決しようとする課題】
【０００６】
前述した従来の接点構造では、例えば、導電部と一対の接点とが互いに相対する方向に対し交差する方向に沿って、押圧部が押圧されることがある。このとき、導電部と一対の接点即ち印刷配線板との接触面の形状が、例えば三日月形状などの円形と異なる形状になることがある。
【０００７】
すると、導電部が、一対の接点のうちいずれか一方のみに接触して他方に接触できなかったり、一対の接点のうちいずれか一方との接触が不安定になることがあった。このため、前述した押圧部が押圧されても、前述した接点構造は、一対の接点同士を確実に接続できずに、押圧部が押圧されていることを検出できなかった。
【０００８】
したがって、本発明の目的は、例えば、導電部が一対の接点の双方と確実に接触でき、該導体部が一対の接点同士を確実に電気的に接続できる接点構造及び該接点構造を備えた電子機器を提供することにある。
【課題を解決するための手段】
【０００９】
前述した課題を解決し目的を達成するために、請求項１に記載の本発明の接点構造は、基板上に形成されかつ互いに間隔をあけて配された一対の接点と、弾性体の弾性復元力に抗して前記一対の接点に近づけられると、一対の接点の双方に接触して、該一対の接点同士を電気的に接続する導電部と、を備えた接点構造において、前記導電部が、前記一対の接点のうち一方の接点に常に接触する接触部と、前記弾性体の中立状態で前記一対の接点のうち他方の接点と間隔をあける離間部と、を備えたことを特徴としている。
【発明を実施するための最良の形態】
【００１０】
以下、本発明の一実施形態を説明する。本発明の一実施形態にかかる接点構造は、導電部に常に一方の接点と常に接触する接触部を設けている。こうすることで、離間部が他方の接点に接触するだけで、導電部が一対の接点の双方に確実に接触して、導体部が一対の接点同士を確実に電気的に接続できるようにしている。
【００１１】
また、接触部が、弾性体の平板部に取り付けられ、離間部が、弾性体の接離部に取り付けられても良い。
【実施例】
【００１２】
本発明の一実施例を、図１ないし図４に基づいて説明する。本発明の一実施例に係る電子機器としてのＡＶ（Audio-Visual）機器１は、移動体としての自動車のインストルメントパネル（以下、インパネと呼ぶ）などに装着される。以下、後述するＣＤやＭＤの表面と平行でかつこれらのＣＤやＭＤの出し入れする方向と平行な矢印Ｙを奥行き方向と呼び、ＣＤやＭＤの表面と平行でかつ前記奥行き方向Ｙに対し直交する矢印Ｘを幅方向と呼び、前記奥行き方向Ｙと幅方向Ｘとの双方に対し直交する矢印Ｚを厚み方向と呼ぶ。
【００１３】
ＡＶ機器１は、図１に示すように、機器本体２と、再生装置としてのＣＤ（Compact Disk）プレーヤ３と、再生装置としてのＭＤ（Mini disc）プレーヤ４と、ラジオ放送を受信するＡＭ／ＦＭチューナ５と、表示部６と、操作部７とを備えている。
【００１４】
機器本体２は、箱状に形成されかつ前述したインパネに取り付けられる。機器本体２の図１中手前側に位置する一つの面２ａ（以下、前面と呼ぶ）には、ＣＤ用挿入口８と、ＭＤ用挿入口９と、操作部用孔１３（図２に示す）とが開口している。なお、前面２ａは、機器本体２がインパネに取り付けられると、外部に露出するとともに乗員（使用者ともいう）に相対する面である。ＣＤ用挿入口８は、内側にＣＤを通して、該ＣＤを機器本体２即ちＣＤプレーヤ３に出し入れする。ＭＤ用挿入口９は、内側にＭＤを通して、該ＭＤを機器本体２即ちＭＤプレーヤ４に出し入れする。操作部用孔１３は、前記前面２ａを貫通している。操作部用孔１３は、操作部７の後述する押しボタン１１を収容する。
【００１５】
ＣＤプレーヤ３は、機器本体２に挿入されたＣＤの情報を読み出して、音声として出力する。ＭＤプレーヤ４は、機器本体２に挿入されたＭＤの情報を読み出して、音声として出力する。ＡＭ／ＦＭチューナ５は、ラジオ放送を受信して、音声として出力する。これらのプレーヤ３，４及びチューナ５は、操作部７に設けられた後述する押しボタン１１等を使用者が押圧することによって動作する。
【００１６】
表示部６は、前述した前面２ａに取り付けられた蛍光表示管などからなる情報を表示する表示パネル１０を備えている。表示部６は、表示パネル１０に再生中のＣＤやＭＤのプログラムやチューナ５が受信中の放送局名などの情報を表示する。
【００１７】
操作部７は、一つの複合スイッチ１２と、複数の押しボタン１１と、接点構造１４（図２に示す）などを備えている。複合スイッチ１２は、前記前面２ａに対し直交する方向に沿って移動自在に設けられ、かつ前面２ａに対し直交する軸芯回りに回転自在に支持された操作ノブ１５などを備えている。操作ノブ１５は、前面２ａから突出する方向に付勢されているとともに、前記前面２ａなどに係止して該前面２ａから脱落することが規制されている。
【００１８】
複合スイッチ１２は、操作ノブ１５が押圧されることで、ＡＶ機器１全体の電源をオン・オフし、操作ノブ１５が軸芯回りに回転されることで、再生中又は受信中のプログラムの音量を調整するために用いられる。
【００１９】
押しボタン１１は、図２に示すように、平面形状が矩形状の正面板１６と、該正面板１６の外縁から立設した複数の周板１７を備えている。周板１７の内面には、該内面から凸の係止爪１８が設けられている。押しボタン１１は、正面板１６が前面２ａと平行でかつ該前面２ａより露出する状態で、操作部用孔１３内に収容されている。押しボタン１１は、正面板１６が前面２ａから突没自在に、前記操作部用孔１３即ち機器本体２にスライド自在に支持されている。図示例では、押しボタン１１は、複数（四つ）設けられている。
【００２０】
接点構造１４は、図２に示すように、印刷配線板１９と、一対の接点２０ａ，２０ｂと、弾性体としてのゴム板２１と、スライド部材２２と、導電部としての導電板２３を備えている。
【００２１】
印刷配線板１９は、機器本体２内に収容されている。印刷配線板１９は、前面２ａの近傍に配されている。印刷配線板１９は、絶縁性の基板２４と、該基板２４の表面に形成された配線パターンとを備えている。基板２４は、その両表面が前記前面２ａと平行に配されている。基板２４には、図示しない各種の電子部品などが実装されている。配線パターンは、銅などの導電性の金属で構成されている。配線パターンは、箔状に形成されて、基板の表面に貼り付けられている。配線パターンは、前述した電子部品同士を予め定められたパターンにしたがって電気的に接続している。
【００２２】
一対の接点２０ａ，２０ｂは、複数（対）設けられている。一対の接点２０ａ，２０ｂは、それぞれ、押しボタン１１に対応して設けられている。押しボタン１１一つに対して、一対の接点２０ａ，２０ｂが対応している。一対の接点２０ａ，２０ｂは、対応する押しボタン１１の幅方向Ｘの一端部と、前面２ａに対し直交する方向（即ち押しボタン１１のスライド方向）に沿って、並べられている。
【００２３】
一対の接点２０ａ，２０ｂは、それぞれ、前述した配線パターンの一部であり、勿論、印刷配線板１９の基板２４の前面２ａ側の表面に設けられている。一対の接点２０ａ，２０ｂは、互いに間隔をあけている。即ち、接点２０ａ，２０ｂ同士は、電気的に絶縁されている。
【００２４】
一方の接点２０ａには、ゴム板２１の後述する平板部２５が重ねられている。他方の接点２０ｂは、ボス部２６の後述する収容孔２７内に位置付けられている。一対の接点２０ａ，２０ｂは、対応する押しボタン１１が押圧されたか否かを検出する検出回路に接続している。
【００２５】
ゴム板２１は、絶縁性と弾性との双方を有する合成樹脂で構成されている。ゴム板２１は、印刷配線板１９の基板２４の前面２ａ側の表面に重ねられている。ゴム板２１は、平板部２５と、ボス部２６とを一体に備えている。平板部２５は、平板状に形成され、印刷配線板１９の基板２４の表面に重ねられて、該印刷配線板１９と密に接触する。勿論、平板部２５は、前述した一方の接点２０ａと配線パターンとに重ねられている。
【００２６】
ボス部２６は、平板部２５が印刷配線板１９に重ねられた際に、他方の接点２０ｂと重なる位置（即ち接点２０ａ，２０ｂと対応する位置）に設けられている。則ち、ボス部２６は、接点２０ａ，２０ｂと同数（則ち複数）設けられている。ボス部２６は、接点２０ａを囲むとともに前記平板部２５を貫通した収容孔２７と、該収容孔２７の内縁から立設した立設部２８と、立設部２８の端に連なる接離部２９とを備えている。
【００２７】
収容孔２７の平面形状は、丸形である。収容孔２７は、他方の接点２０ｂを収容する。立設部２８は、収容孔２７の縁から前面２ａ即ち押しボタン１１に向かって延在している。立設部２８は、収容孔２７の全周に設けられている。立設部２８は、押しボタン１１に向かうにしたがって収容孔２７の内径が小さくなる方向に、傾斜している。即ち、立設部２８は、外形が裁頭円錐状に形成されている。
【００２８】
接離部２９は、円柱状に形成されており、立設部２８の押しボタン１１寄りの端に連なっている。接離部２９は、印刷配線板１９即ち接点２０ｂと相対する表面に導電板２３を貼り付けている。接離部２９は、ボス部２６則ちゴム板２１が弾性変形していない中立状態では、他方の接点２０ｂと間隔をあけている。接離部２９は、ボス部２６則ちゴム板２１の弾性復元力に抗して、他方の接点２０ｂに向かって押圧されると、該他方の接点２０ｂと接触する。このように、接離部２９は、中立状態で印刷配線板１９の基板２４と他方の接点２０ｂとの双方と間隔をあけるとともに、立設部２８により印刷配線板１９の基板２４と他方の接点２０ｂとの双方と接離可能に設けられている。
【００２９】
ボス部２６は、収容孔２７と立設部２８と接離部２９とが互いに同軸に配されている。ボス部２６は、接離部２９が接点２０ｂに向かって押圧されると、主に立設部２８が弾性変形して、接離部２９が接点２０ｂに近づくことを許容する。即ち、ゴム板２１は、その接離部２９を接点２０ｂに接離自在に設けている。接離とは、近づいたり離れることを示している。また、ゴム板２１は、印刷配線板１９に重ねられて、操作部用孔１３と押しボタン１１との間などから浸入した水などの液体が印刷配線板１９に付着することを防止する。
【００３０】
スライド部材２２は、複数設けられている。スライド部材２２は、それぞれ、押しボタン１１に対応して設けられている。押しボタン１１一つに対して、スライド部材２２が一つ対応している。スライド部材２２は、操作部用孔１３内に収容されている。スライド部材２２は、操作部用孔１３の内面に係止する図示しない係止爪と、押しボタン１１の係止爪１８が係止する係止突起３０と、押圧部３１とを備えている。
【００３１】
係止爪は、操作部用孔１３の内面に係止するとともに、前面２ａに直交する方向即ち押しボタン１１のスライド方向に沿って、スライド自在に操作部用孔１３の内面に支持されている。また、係止爪は、スライド部材２２が前面２ａ側に操作部用孔１３内から脱落することを規制している。係止突起３０は、前面２ａ側の縁に設けられており、前述した押しボタン１１の係止爪１８が係止する。係止爪１８と係止突起３０によって、スライド部材２２は、押しボタン１１とともに（一体に）、前面２ａに対し直交する方向に沿ってスライドする。
【００３２】
押圧部３１は、押しボタン１１の幅方向Ｘの一端部とボス部２６との間に配置されている。即ち、押圧部３１は、前面２ａに対し直交する方向即ち押しボタン１１のスライド方向に沿って、押しボタン１１の幅方向Ｘの一端部とボス部２６との双方と並べられている。押圧部３１は、ボス部２６の接離部２９の前面２ａ寄りの表面に接触する。
【００３３】
前述した構成によれば、スライド部材２２即ち押しボタン１１は、ゴム板２１のボス部２６により前面２ａより突出した状態に位置付けられる。
【００３４】
導電板２３は、ゴムなどの弾性を有する合成樹脂にカーボンなどの導体で構成される粉が混入されて構成されている。即ち、導電板２３は、導電性と弾性との双方を有する。導電板２３は、図３及び図４に示すように、接触部４０と、離間部４１と、連結部４２とを一体に備えている。
【００３５】
接触部４０は、平板状に形成されている。接触部４０は、ゴム板２１の印刷配線板１９の基板２４に相対する表面に貼り付けられている。接触部４０は、前述した一方の接点２０ａと重なる位置に設けられている。このため、接触部４０は、ゴム板２１が中立状態であっても弾性変形した状態であっても（則ち、常に）、前述した一方の接点２０ａと接触する。
【００３６】
離間部４１は、円板状に形成されている。離間部４１の外径は、接離部２９の外径と等しい。離間部４１は、ゴム板２１のボス部２６の接離部２９の接点２０ｂと相対する表面に貼り付けられている。このため、離間部４１は、他方の接点２０ｂの表面と平行に配置される。また、離間部４１則ち導電板２３は、ゴム板２１などによって、他方の接点２０ｂに接離自在に設けられている。さらに、離間部４１がボス部２６の接離部２９に貼り付けられているので、導電板２３は、ボス部２６則ち他方の接点２０ｂと同数（則ち複数）設けられている。
【００３７】
離間部４１則ち導電板２３は、ゴム板２１が弾性変形していない中立状態では、他方の接点２０ｂと間隔をあける。離間部４１は、ゴム板２１の弾性復元力に抗して、スライド部材２２の押圧部３１などから他方の接点２０ｂに向かって押圧されると、他方の接点２０ｂに接触する。導電板２３は、離間部４１が他方の接点２０ｂに接触すると、一対の接点２０ａ，２０ｂの双方と接触して、該一対の接点２０ａ，２０ｂ同士を電気的に接続する。
【００３８】
連結部４２は、平板状に形成されている。連結部４２は、接触部４０と離間部４１とを連結している。連結部４２は、主に、ボス部２６の立設部２８の印刷配線板１９の基板２４に相対する表面に貼り付けられている。前述した導電板２３は、ゴム板２１の弾性復元力に抗して一対の接点２０ａ，２０ｂに近づけられると、一対の接点２０ａ，２０ｂの双方に接触して、該一対の接点２０ａ，２０ｂ同士を電気的に接続する。
【００３９】
前述した構成の接点構造１４は、図４に示すように、押しボタン１１が使用者により押圧されることにより、ゴム板２１の弾性復元力に抗して、スライド部材２２の押圧部３１が接離部２９を、導電板２３の離間部４１が他方の接点２０ｂに近づく方向に押圧する。すると、離間部４１が他方の接点２０ｂに接触して、導電板２３が、一対の接点２０ａ，２０ｂ同士を電気的に接続する。接点構造１４は、押しボタン１１が使用者などから押圧されなくなると、図３に示すように、ゴム板２１の弾性復元力によって、導電板２３の離間部４１が他方の接点２０ｂから離れるとともに、ゴム板２１が押圧部３１を押圧して、押しボタン１１を前面２ａから突出させる。
【００４０】
このように、押しボタン１１が操作されることにより、機器本体２内に収容された各種プレーヤ３，４やチューナ５等が動作する。
【００４１】
また、前述したＡＶ機器１は、前述した押しボタン１１を光輝させるための光源としてのＬＥＤ（Light Emitting Diode）３４を印刷配線板１９に実装しているとともに、該ＬＥＤ３４の光を押しボタン１１に導く導光板３５をゴム板２１とスライド部材２２との間に設けている。
【００４２】
本実施例によれば、導電板２３に常に一方の接点２０ａと接触する接触部４０を設けている。このため、離間部４１が他方の接点２０ｂに接触するだけで、導電板２３が一対の接点２０ａ，２０ｂの双方に確実に接触できるとともに、導電板２３が一対の接点２０ａ，２０ｂ同士を確実に電気的に接続できる。
【００４３】
導電板２３の接触部４０を、基板２４に重ねられるゴム板２１の平板部２５に取り付けているため、接触部４０が確実に常に一方の接点２０ａに接触できる。
【００４４】
ＡＶ機器１は、前述した接点構造１４を備えているので、導電板２３が一対の接点２０ａ，２０ｂ同士を確実に電気的に接続できる。
【００４５】
また、本発明では、図５に示すように、一対の接点２０ａ，２０ｂを収容孔２７内に位置付けて、接触部４０を離間部４１から一方の接点２０ａに向かって凸に形成して、該接触部４０を常に一方の接点２０ａに接触させても良い。この場合、接触部４０を特に伸縮自在にするのが望ましい。なお、図５において、前述した実施例と同一部分には、同一符号を付して説明を省略する。
【００４６】
前述した実施例では、電子機器として自動車に取り付けられるＡＶ機器１を示している。しかしながら、本発明では、ＡＶ機器１に限らず、種々の電子機器に適用しても良い。
【００４７】
前述した実施例によれば、以下の接点構造１４及びＡＶ機器１が得られる。
【００４８】
（付記１）  基板２４上に形成されかつ互いに間隔をあけて配された一対の接点２０ａ，２０ｂと、
ゴム板２１の弾性復元力に抗して前記一対の接点２０ａ，２０ｂに近づけられると、一対の接点２０ａ，２０ｂの双方に接触して、該一対の接点２０ａ，２０ｂ同士を電気的に接続する導電板２３と、を備えた接点構造１４において、
前記導電板２３が、
前記一対の接点２０ａ，２０ｂのうち一方の接点２０ａに常に接触する接触部４０と、
前記ゴム板２１の中立状態で前記一対の接点２０ａ，２０ｂのうち他方の接点２０ｂと間隔をあける離間部４１と、を備えたことを特徴とする接点構造１４。
【００４９】
（付記２）  前記ゴム板２１が、前記基板２４に重ねられる平板部２５と、中立状態で前記基板２４と間隔をあけるとともに前記基板２４に接離可能な接離部２９と、を備え、
前記接触部４０が、前記平板部２５に取り付けられ、
前記離間部４１が、前記接離部２９に取り付けられていることを特徴とする付記１記載の接点構造１４。
【００５０】
（付記３）  付記１または付記２に記載の接点構造１４を備えたことを特徴とするＡＶ機器１。
【００５１】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５２】
【図１】本発明の一実施例にかかる接点構造を備えたＡＶ機器を示す斜視図である。
【図２】図１に示されたＡＶ機器の接点構造などを示す断面図である。
【図３】図２に示された接点構造の要部を拡大して示す断面図である。
【図４】図３に示された接点構造の導電板の離間部を他方の接点に接触させた状態を示す断面図である。
【図５】図３に示された接点構造の変形例の要部を拡大して示す断面図である。
【符号の説明】
【００５３】
１  ＡＶ機器
１４  接点構造
１９  印刷配線板
２０ａ，２０ｂ  接点
２１  ゴム板（弾性体）
２３  導電板（導電部）
２４  基板
２５  平板部
２９  接離部
４０  接触部
４１  離間部
【図１】
2006286292.tif 000003
【図２】
2006286292.tif 000004
【図３】
2006286292.tif 000005
【図４】
2006286292.tif 000006
【図５】
2006286292.tif 000007